(57)【要約】【課題】  築造する地下構造物の位置を大きく変更することなく、転用が可能で、トンネル建設コストを低減させることができる掘進機を提供する。【解決手段】  トンネルの断面が矩形断面となるように地盤Ｇを掘削する掘進機１０であって、掘進機１０は、カッターヘッド１１と、カッターヘッド１１の後方に矩形の隔壁１３を設けてチャンバーＣＨを形成している矩形断面の掘進機本体１２とを備え、隔壁１３の一方の長辺側に第二の排土口１３Ｂが設けられ、隔壁１３の一方の短辺側に第一の排土口１３Ａが設けられている。【選択図】      図１
2006097243.tif 000002
【特許請求の範囲】
【請求項１】
複数の矩形形状のトンネルを隣接して築造することで地下構造物を築造する地下構造物の築造方法であって、
断面が横長の矩形形状のトンネルを築造する横長矩形断面トンネル築造工程と、
前記横長矩形断面トンネル築造工程の前あるいは後に、断面が縦長の矩形小断面トンネルを築造する縦長矩形断面トンネル築造工程とを有することを特徴とする地下構造物の築造方法。
【請求項２】
断面が矩形形状である１基の掘進機によって複数の矩形形状のトンネルを隣接して築造することで地下構造物を築造する地下構造物の築造方法であって、
断面を横長にした状態の前記掘進機を用いて、断面が横長の矩形形状のトンネルを築造する横長矩形断面トンネル築造工程と、
前記横長矩形断面トンネル築造工程の前あるいは後に、断面を縦長にした状態の前記掘進機を用いて、断面が縦長の矩形小断面トンネルを築造する縦長矩形断面トンネル築造工程とを有することを特徴とする地下構造物の築造方法。
【請求項３】
トンネルの断面が矩形断面となるように地盤を掘削する掘進機であって、
カッターヘッドと、
前記カッターヘッドの後方に矩形の隔壁を設けてチャンバーを形成している矩形断面の掘進機本体とを備え、
前記隔壁の一方の長辺側に第一の排土口が設けられ、
前記隔壁の一方の短辺側に第二の排土口が設けられて構成されることを特徴とする掘進機。
【請求項４】
前記第一の排土口に接続される第一の排土装置と、
前記第二の排土口に接続される第二の排土装置とを備えて構成されることを特徴とする請求項３に記載の掘進機。
【請求項５】
前記掘進機本体は、その内部に土砂を外部に送る排土運搬装置を備え、
前記排土運搬装置が前記第一の排土装置又は前記第二の排土装置に接続可能に構成されていることを特徴とする請求項４に記載の掘進機。
【発明の詳細な説明】
【技術分野】
【０００１】
本発明は、地盤に地下構造物を築造する地下構造物の築造方法及び掘進機に関する。
【背景技術】
【０００２】
一般に、地下構造物であるトンネルの断面形状には大小様々な円形や矩形等のものが知られている。例えば、大断面の円形又は矩形形状のトンネルは鉄道用や道路用，水路用等として用いられたり、小断面の円形又は矩形形状のトンネルは水道用や電気配線用等として用いられるなど、その用途は様々である。
【０００３】
従来、このようなトンネルを築造する場合には、様々なシールド機（シールド掘削機や掘進機）が用いられるが、主たるその形状は円形断面や矩形断面となっている。
例えば、特許文献１に記載のシールド機はカッターヘッドとそのカッターヘッドの後方に設けられる隔壁とを備えており、カッターヘッドで地盤を掘削したときに出る土砂を排土するために、このカッターヘッドと隔壁との間にチャンバーが形成されおり、このチャンバー内に掘削した土砂を溜め、隔壁の下部に一箇所だけ設けられた排土口にスクリューコンベアを設けて、チャンバー内の土砂を排土することができるようになっている（例えば、特許文献１参照）。
また、地下構造物の築造方法として、正方形の断面形状を有した掘進機を繰り返し用いて、連続して縦方向及び横方向に配列した小断面の矩形形状のトンネルを複数設け、地盤と接する部分を残して小断面の矩形形状のトンネルの壁部を撤去することにより地下構造物を築造する方法が提案されている（例えば、特許文献２参照）。
【特許文献１】特開２０００−１６０９８８号公報（段落００１７〜００２１、図２）
【特許文献２】特開２００１−１１５７９４号公報（段落００２０〜００４８、図１）
【発明の開示】
【発明が解決しようとする課題】
【０００４】
しかしながら、このような形状のシールド機は、築造するトンネルの直径に合わせて製作されるため、転用が難しく、しかも使い捨てにされているという現状がある。特に矩形断面のシールド機は、一度、トンネルの築造に使用された後、そのシールド機本体の縦と横の寸法と他のトンネルの縦と横の寸法とが一致する場合が極めて少なく、円形断面のシールド機に比べてより一層転用が難しいという問題がある。
また、このようなシールド機は、トンネル建設コストに占める割合が大きく、使い捨てではなく転用ができるようにしたいという産業界の要望がある。
なお、このような問題はシールド機に限らず推進工法に使用される掘進機にも同様にあてはまる。
また、従来の地下構造物の築造方法は、地盤内に障害物となる構造物が存在する場合、この障害物を迂回するように又は回避するように掘削する位置を大きく変更して地下構造物を築造しなくてはならないという不具合がある。さらに、従来の方法によって築造された地下構造物は、その断面形状が矩形に限定されるため、地下構造物の用途に適した断面形状を採用することができないという問題がある。
【０００５】
そこで、本発明は前記した課題を解決し、築造する地下構造物の位置を大きく変更することなく、また、用途に適した断面形状を採用することが可能な地下構造物の築造方法を提供することを課題とし、加えて、転用が可能で、トンネル建設コストを低減させることができる地下構造物の築造方法及び掘進機を提供することを課題とする。
【課題を解決するための手段】
【０００６】
前記課題を解決するため、請求項１に記載の本発明は、複数の矩形形状のトンネルを隣接して築造することで地下構造物を築造する地下構造物の築造方法であって、断面が横長の矩形形状のトンネルを築造する横長矩形断面トンネル築造工程と、前記横長矩形断面トンネル築造工程の前あるいは後に、断面が縦長の矩形小断面トンネルを築造する縦長矩形断面トンネル築造工程とを有することを特徴とする。
【０００７】
このように、断面が横長の矩形形状のトンネルを築造する横長矩形断面トンネル築造工程の前あるいは後に、断面が縦長の矩形小断面トンネルを築造する縦長矩形断面トンネル築造工程を行うことにより、例えば、地下構造物を築造する領域に障害物が存在したとしても、トンネルの断面を縦長から横長へ、あるいは横長から縦長へ替えることでその障害物を回避して地下構造物を築造することができる。また、用途に適した断面形状を採用することが可能な地下構造物の築造方法を提供することができる。
【０００８】
また、請求項２に記載の発明は、断面が矩形形状である１基の掘進機によって複数の矩形形状のトンネルを隣接して築造することで地下構造物を築造する地下構造物の築造方法であって、断面を横長にした状態の前記掘進機を用いて、断面が横長の矩形形状のトンネルを築造する横長矩形断面トンネル築造工程と、前記横長矩形断面トンネル築造工程の前あるいは後に、断面を縦長にした状態の前記掘進機を用いて、断面が縦長の矩形小断面トンネルを築造する縦長矩形断面トンネル築造工程とを有することを特徴とする。
【０００９】
このように、断面が横長の矩形形状のトンネルを築造する横長矩形断面トンネル築造工程の前あるいは後に、断面が縦長の矩形小断面トンネルを築造する縦長矩形断面トンネル築造工程を行うことにより、例えば、地下構造物を築造する領域に障害物が存在したとしても、トンネルの断面を縦長から横長へ、あるいは横長から縦長へ替えることでその障害物を回避して地下構造物を築造することができる。
このとき、断面が横長の矩形形状のトンネルの築造と断面が縦長の矩形小断面トンネルとを、同一の掘進機を用いて築造する。つまり、１基の掘進機を用いて、断面が横長の矩形形状のトンネルの築造と断面が縦長の矩形小断面トンネルとを築造することができる。この場合、掘進機は断面が矩形形状となっており、その掘進機の断面を横長にして用いた場合には断面が横長の矩形形状のトンネルを築造することができ、掘進機の断面を縦長にして用いた場合には断面が縦長の矩形形状のトンネルを築造することができる。
【００１０】
また、請求項３に記載の発明は、トンネルの断面が矩形断面となるように地盤を掘削する掘進機であって、カッターヘッドと、前記カッターヘッドの後方に矩形の隔壁を設けてチャンバーを形成している矩形断面の掘進機本体とを備え、前記隔壁の一方の長辺側に第一の排土口が設けられ、前記隔壁の一方の短辺側に第二の排土口が設けられて構成されることを特徴とする掘進機である。
【００１１】
このように、矩形形状の隔壁における一方の長辺側に第一の排土口を設け、隔壁の一方の短辺側に第二の排土口を設けたことにより、第一の排土口が設けられた長辺側を底部として地盤を掘削する場合と、第二の排土口が設けられた短辺側を底部として地盤を掘削する場合とで使い分けることができるため、種々の断面形状を有するトンネルに用いることができる。これにより、掘進機を転用する機会が増えるので、トンネルを築造するコストを削減することができる。
【００１２】
また、請求項４に記載の本発明は、請求項３に記載の発明であって、前記第一の排土口に接続される第一の排土装置と、前記第二の排土口に接続される第二の排土装置とを備えても良い。
【００１３】
このように、また、第一の排土口と第二の排土口とにはそれぞれ第一の排土装置と第二の排土装置とを備えているので、第一の排土口及び第二の排土口のどちらからでも土砂を排土することができるようになっている。
【００１４】
また、請求項５に記載の本発明は、請求項４に記載の発明であって、前記掘進機本体は、その内部に土砂を外部に送る排土運搬装置を備え、前記排土運搬装置が前記第一の排土装置又は前記第二の排土装置に接続可能に構成されていても良い。
【００１５】
このように、排土運搬装置を第一の排土装置又は第二の排土装置に接続可能に構成されていることにより、矩形の掘進機の短辺側又は長辺側を底部とした場合であっても、容易に掘削した土砂を掘進機の外部に排土することができるようになっている。
【発明の効果】
【００１６】
このような地下構造物の築造方法によれば、断面が横長、縦長となる矩形形状のトンネルを築造することで、地下構造物を築造する領域に障害物が隣接していても、これをよけて地下構造物を築造することができる。
また、このような掘進機によれば、掘進機の底部を矩形の短辺側又は長辺側に切り替えることができるので、断面が種々の矩形形状のトンネルに転用することができる。また、断面が種々の矩形形状のトンネルに転用することができるため、コストを削減することができる。
また、一台の掘進機を繰り返して使用する場合に、縦長、横長を切り替えて用いることができる。
【発明を実施するための最良の形態】
【００１７】
次に、本発明を実施するための最良の一形態（以下、「実施形態」という。）について、図面を参照して詳細に説明する。
各実施形態において、地下構造物を大断面の矩形トンネルとして説明し、大断面の矩形トンネルＤＫＴ（図７参照）は、トンネル築造領域ＴＫＲ（図４参照）において上下方向に２段で及び横方向に３列で割り付けられる小断面の矩形形状のトンネルＫＴ１，ＫＴ２・・・（図６参照）を地中に設置し、互いに接している外周面を撤去して構成したものを例にして説明する。
【００１８】
本発明の掘進機１０は、図１及び図２に示すように、縦の長さと横の長さとが異なった矩形形状に断面が形成されており、地盤Ｇ（図３参照）を掘削するカッターヘッド１１と、このカッターヘッド１１を前進方向の先端に供えた掘進機本体１２とを備え、小断面の矩形形状のトンネルＫＴ１，ＫＴ２・・・（図６参照）を築造することができるようになっている。この掘進機１０により複数の小断面の矩形形状のトンネルＫＴ１，ＫＴ２・・・（図６参照）を積み重ねるように隣接させ上下方向に２段、横方向に３列の小断面の矩形形状のトンネルＫＴ１，ＫＴ２・・・（図６参照）を築造する。このようにして築造された複数の小断面の矩形形状のトンネルＫＴ１，ＫＴ２・・・（図６参照）の、互いに接している外周面を撤去して大断面の矩形形状のトンネルＤＫＴ（図７参照）を築造する。
【００１９】
カッターヘッド１１は、従来から用いられているカッターヘッドを用いることができ、地盤Ｇ（図３参照）を掘削する役割を果たす。
【００２０】
掘進機本体１２は、図１及び図２に示すように、縦の長さと横の長さとが異なった矩形形状に断面が形成され、進行方向の先端にカッターヘッド１１を備えており、そのカッターヘッド１１の後部に設けられた隔壁１３と、カッターヘッド１１と隔壁１３との間に形成されたチャンバーＣＨ内の土砂を排出する第一の排土装置１４Ａ及び第二の排土装置１４Ｂと、排土運搬装置１５とを備えている。
【００２１】
このチャンバーＣＨには、図１に示すように、カッターヘッド１１によって掘削された土砂が溜まるようになっており、掘削した土砂の状態により、添加剤を混合させた土砂を溜めることができるようになっている。
【００２２】
隔壁１３は、図１及び図２に示すように、掘進機本体１２の内部に設けられており、掘進機本体１２の前部を塞いでいる。これにより、チャンバーＣＨに溜めた土砂が後方に漏れ出ないようになっている。
この隔壁１３は、掘進機本体１２同様に縦の長さと横の長さとが異なった矩形形状に形成され、短辺部分に第一の排土口１３Ａ、長辺部分に第二の排土口１３Ｂが設けられており、これら第一の排土口１３Ａ又は第二の排土口１３Ｂから掘削した土砂を排土することができるようになっている。
【００２３】
また、図１に示すように、第一の排土口１３Ａには第一の排土装置１４Ａが備えられており、この第一の排土装置１４Ａの先端部が第一の排土口１３Ａを介してチャンバーＣＨ内に位置している。
第一の排土装置１４Ａは、例えば、スクリューコンベアを用いることができ、チャンバーＣＨ内の土砂を排土する役割を果たす。
なお、この第一の排土装置１４Ａは、第一の排土口１３Ａを底部Ｔ１側（図２参照）に位置させたときに、その第一の排土口１３Ａの上方より斜めに接続される。
【００２４】
また、図１に示すように、第二の排土口１３Ｂには第二の排土装置１４Ｂが備えられており、この第二の排土装置１４Ｂの先端部が第二の排土口１３Ｂを介してチャンバーＣＨ内に位置している。
第二の排土装置１４Ｂは、第一の排土装置１４Ａと同様に、例えば、スクリューコンベアを用いることができ、チャンバーＣＨ内の土砂を排出する役割を果たす。
なお、この第二の排土装置１４Ｂは、第一の排土装置１４Ａと同様に、第二の排土口１３Ｂを底部Ｔ２側（図２参照）に位置させたときに、その第二の排土口１３Ｂの上方より斜めに接続される。
【００２５】
つまり、図１及び図２に示すように、第一の排土口１３Ａを掘進機本体１２の底部Ｔ１側に位置させて小断面の矩形形状のトンネルＫＴ１，ＫＴ２・・・（図６参照）を築造する場合は、第二の排土口１３Ｂが掘進機本体１１の側面側に位置し、第一の排土口１３Ａに設けた第一の排土装置１４ＡによりチャンバーＣＨ内の土砂を排土するようになっている。
同様に、第二の排土口１３Ｂを掘進機本体１２の底部Ｔ２側に位置させて小断面の矩形形状のトンネルＫＴ１，ＫＴ２・・・（図６参照）を築造する場合は、第一の排土口１３Ａが掘進機本体１２の側面側に位置し、第二の排土口１３Ｂに設けた第二の排土装置１４ＢによりチャンバーＣＨ内の土砂を排土するようになっている。
なお、第一の排土口１３Ａ又は第二の排土口１３Ｂが土砂の排土に用いられない場合は、そこから土砂が流出しないように蓋がされる。
【００２６】
排土運搬装置１５は、図１及び図３に示すように、前記第一の排土装置１４Ａ又は前記第一の排土装置１４Ｂと接続可能に掘進機本体１２の内部に設けられており、第一の排土装置１４Ａ又は第二の排土装置１４Ｂから排土された土砂を外部まで運搬する役割を果たす。
この排土運搬装置１５は、第一の排土装置１４Ａ又は第二の排土装置１４Ｂと接続する接続部１５Ａと土砂を掘進機１０外に運搬する運搬部１５Ｂとから構成されている。
【００２７】
なお、排土運搬装置１５を第一の排土装置１４Ａ又は第二の排土装置１４Ｂと接続する際に、排土運搬装置１５をもり替えて第一の排土装置１４Ａ又は第二の排土装置１４Ｂと接続する構成としても良いし、排土運搬装置１５に掘進機１０の軸線を中心に回動する回動機構を備えさせて第一の排土装置１４Ａ又は第二の排土装置１４Ｂと接続可能としても良い。
【００２８】
接続部１５Ａは、例えば、モータＭを備えたスクリューコンベアを用いることができ、接続部１５Ａのスクリューコンベアを第一の排土装置１４Ａ又は第二の排土装置１４Ｂのスクリューコンベアに接続してモータＭで回転させることにより、チャンバーＣＨ内の土砂を排土することができるようになっている。
この接続部１５Ａは、第一の排土装置１４Ａ又は第二の排土装置１４Ｂに接続される。
【００２９】
運搬部１５Ｂは、例えば、ベルトコンベアを用いることができ、接続部１５ＡがチャンバーＣＨから排土した土砂を接続部１５Ａよりも下方で受けて、掘進機１０の外部に運搬することができるようになっている。
【００３０】
この接続部１５Ａと運搬部１５Ｂとは、掘進機１０の底部が矩形形状の長辺側から短辺側に切り替えられた場合、又は矩形形状の短辺側から長辺側に切り替えられた場合に、接続部１５Ａを第一の排土装置１４Ａ又は第二の排土装置１４Ｂに接続するために、掘進機本体１２内を移動することができるようになっている。つまり、掘進機１０の軸線に対して９０度の回動（移動）が行えるようになっている。
【００３１】
このように構成される掘進機１０は、小断面の矩形形状のトンネルＫＴ１，ＫＴ２・・・（図６参照）を築造する際に矩形断面の縦方向の面を底部としても横方向の面を底部としても利用することができるため、汎用性が高く、最終的に形成される大断面の矩形トンネルＤＫＴの種々の断面形状に対応させることができる。
また、排土運搬装置１５を第一の排土装置１４Ａ及び第二の排土装置１４Ｂに接続できるように移動可能としたことにより、本発明の掘進機１０の底部を変更した場合でも、容易にチャンバーＣＨ内の土砂を排土することができる。
【００３２】
次に、本発明の掘進機を用いて、大断面のトンネルを築造する方法について説明する。
図４は、トンネル築造領域の一例を示す模式図である。図５は、小断面の矩形形状のトンネルを築造した状態を示す模式図である。図６は、トンネル築造領域に設けた掘削領域のすべてに小断面の矩形形状のトンネルを築造した状態を示す模式図である。図７は、複数の小断面の矩形形状のトンネルから大断面の矩形トンネルを築造した状態を示す模式図である。
【００３３】
この方法は、築造すべき大断面トンネルの横断面の全てを包含するように複数の小断面の矩形形状のトンネルを隣接して築造することで大断面トンネルを築造するものであり、断面が横長の小断面の矩形形状のトンネルを築造する工程と、断面が縦長の小断面の矩形形状のトンネルを築造する工程とを有している。
【００３４】
より具体的には、大断面の矩形トンネルＤＫＴ（図７参照）の築造方法は、例えば、図４に示すように、大断面の矩形トンネルＤＫＴを築造するために割り付けられたトンネル築造領域ＴＫＲのうちの、障害物となる構造物ＳＢに近い掘削領域ＫＲ３以外の複数の所定掘削領域ＫＲ１，ＫＲ２，ＫＲ４，ＫＲ５，ＫＲ６の地盤を、当該掘進機１０を横長にした状態、すなわち、掘進機１０の隔壁１３に設けた前記第二の排土口１３Ｂを下にした状態で掘削して小断面の矩形形状のトンネルＫＴ１，ＫＴ２，ＫＴ４，ＫＴ５，ＫＴ６を築造する横長矩形断面トンネル築造工程と、掘削領域ＫＲ３の地盤を、当該掘進機１０を縦長にした状態、すなわち、掘進機１０の隔壁１３に設けた前記第一の排土口１３Ａを下にした状態で掘削して小断面の矩形形状のトンネルＫＴ３を築造する縦長矩形断面トンネル築造工程と、前記横長矩形断面トンネル築造工程で築造した小断面の矩形形状のトンネルＫＴ１，ＫＴ２，ＫＴ４，ＫＴ５，ＫＴ６と前記縦長矩形断面トンネル築造工程で築造した小断面の矩形形状のトンネルＫＴ３とで各々が接している外殻部を撤去して大断面の矩形トンネルＤＫＴを築造する地下構造物築造工程とを有して構成されている。
以下、詳細に説明する。
【００３５】
（位置決定工程）
まず、位置決定工程では、大断面の矩形トンネルを設ける位置を決定し、本発明の掘進機で掘削する小断面の矩形形状のトンネルの位置の区分を決定する。
その際に、障害物となる地下構造物の位置を把握して掘進機の底部を長辺側とするか短辺側とするかをも決定する。
【００３６】
例えば、図４に示すように、大断面の矩形トンネルＤＫＴ（図７参照）を設ける位置としてトンネル築造領域ＴＫＲを設定する。このトンネル築造領域ＴＫＲには、長辺側を底部とする本発明の掘進機１０（図２参照）が掘削する領域として掘削領域ＫＲ１，ＫＲ２・・・ＫＲ６が設定されている。この際、地盤Ｇ内に構造物ＳＢが存在してトンネル築造の際の障害物となる場合は、例えば掘削領域ＫＲ３において、短辺側を底部として掘進機１０の掘削領域を決定する。これにより、大断面の矩形トンネルＤＫＴの築造位置を大きく変更することなく大断面の矩形トンネルＤＫＴの築造が行える。
【００３７】
（横長矩形断面トンネル築造工程）
次に、横長矩形断面トンネル築造工程では、前記位置決定工程で決定された掘削領域に沿って、矩形形状の長辺側を底部にして掘進機により断面が横長の小断面の矩形形状のトンネルを築造する。
この際、最初に築造した小断面の矩形形状のトンネルの断面形状に合わせて、隣接するように他の複数の小断面の矩形形状のトンネルを築造するのが好ましい。
【００３８】
例えば、図５に示すように、矩形の長辺側を底部とする掘削領域ＫＲ１を最初に掘削して小断面の矩形形状のトンネルＫＴ１を築造した場合は、その次ぎからは掘削領域ＫＲ１と同じ断面形状を有している掘削領域ＫＲ２，ＫＲ４，ＫＲ５，ＫＲ６を掘削して断面が横長の小断面の矩形形状のトンネルＫＴ２，ＫＴ４，ＫＴ５，ＫＴ６を築造する。
この小断面の矩形形状のトンネルＫＴ１，ＫＴ２，ＫＴ４，ＫＴ５，ＫＴ６の各々を築造するとき、掘進機本体１２の隔壁１３に設けられた第二の排土口１３Ｂが掘進機１０の底部側に位置しており、この第二の排土口１３Ｂに設けられた第二の排土装置１４Ｂに排土運搬装置１５の接続部１５Ａが接続され、チャンバーＣＨ内に溜まった土砂を排土している。
【００３９】
（縦長矩形断面トンネル築造工程）
そして、縦長矩形断面トンネル築造工程では、前記位置決定工程で決定された掘削領域の残された掘削領域に断面が縦長の小断面の矩形形状のトンネルを築造する。つまり、障害物となる地下構造物を回避するために小断面の矩形形状のトンネルの断面形状を９０度回転させて、矩形形状の短辺側を底部にした掘削領域を掘削して小断面の矩形形状のトンネルを築造する。
【００４０】
例えば、図４〜図６に示すように、掘削領域ＫＲ３は、障害物となる構造物ＳＢを回避するためにその断面形状が短辺側を底部にした状態となっている。これにより、掘進機１０を進行方向を軸に９０度回転させて短辺側を底部にし、掘削領域ＫＲ３を掘削して断面が縦長の小断面の矩形形状のトンネルＫＴ３を築造する。
この小断面の矩形形状のトンネルＫＴ３を築造するとき、掘進機本体１２の隔壁１３に設けられた第一の排土口１３Ａが掘進機１０の底部側に位置しており、第一の排土口１３Ａに設けられた第一の排土装置１４Ａに接続している排土運搬装置１５の接続部１５Ａを第一の排土口１３Ａに設けられた第一の排土装置１４Ａに接続して、チャンバーＣＨ内に溜まった土砂を排土している。
【００４１】
（地下構造物築造工程）
地下構造物築造工程では、前記横長矩形断面トンネル築造工程及び縦長矩形断面トンネル築造工程で築造した小断面の矩形形状のトンネルで接している面（壁体、床、天井）を撤去して大断面の矩形トンネルを築造する。
【００４２】
例えば、小断面の矩形形状のトンネルＫＴ１の側壁に接しているＫＴ２の側壁とＫＴ３の側壁を撤去し、小断面の矩形形状のトンネルＫＴ４の側壁に接しているＫＴ５の側壁とＫＴ６の側壁を撤去し、ＫＴ１の天井と接しているＫＴ４の床を撤去し、ＫＴ２の天井と接しているＫＴ５の床を撤去し、ＫＴ３の天井と接しているＫＴ６の床を撤去して、大断面の矩形トンネルを築造する。
【００４３】
このように本発明の掘進機１０（図１〜図３参照）を用いることにより、容易に大断面の矩形トンネルＤＫＴを築造することができ、また、掘進機１０の底部を短辺側と長辺側とで切り替えて用いることにより、地盤Ｇ内に障害物となる構造物ＳＢが存在していても大断面の矩形トンネルＤＫＴの進路を大きく変更することなく大断面の矩形トンネルＤＫＴを築造することができる。
また、掘進機１０の底部を短辺側と長辺側とで切り替えて用いることにより、掘進機１０の利用機会が多くなり、繰り返し他のトンネルの築造においても使用することができる。
【００４４】
［変形例１］
なお、前記した横長矩形断面トンネル築造工程において、矩形の短辺側を底部とする複数の掘削領域を掘削して小断面の矩形形状のトンネルを築造した後に、縦長矩形断面トンネル築造工程で矩形の長辺側を底部とする複数の掘削領域を掘削して小断面の矩形形状のトンネルを築造しても良い。
【００４５】
［変形例２］
また、横長矩形断面トンネル築造工程よりも先に縦長矩形断面トンネル築造工程を行っても良い。
【００４６】
［変形例３］
また、地盤内に障害物が存在しなければ、図８に示すように、縦長矩形断面トンネル築造工程を行わずに横長矩形断面トンネル築造工程において、矩形の長辺側を底部とする複数の掘削領域を掘削して断面が横長の小断面の矩形形状のトンネルＫＴ１，ＫＴ２，ＫＴ３，ＫＴ４，ＫＴ５，ＫＴ６を築造して大断面の矩形トンネルＤＫＴを築造しても良いし、図９に示すように、矩形の短辺側を底部とする複数の掘削領域を掘削して断面が縦長の小断面の矩形形状のトンネルＫＴ１，ＫＴ２，ＫＴ３，ＫＴ４，ＫＴ５，ＫＴ６を築造して大断面の矩形トンネルＤＫＴを築造しても良い。
このように、複数の小断面の矩形形状のトンネルの総てを縦長あるいは横長とすると、地盤内に障害物が存在しない場合のほかに、用地からはみだす場合や障害物を回避できない場合にも好適である。
【００４７】
以上、本発明の実施形態について説明したが、本発明は前記実施形態には限定されない。例えば、小断面トンネルを上下方向に２段、横方向に３列で割り付けられるほかに、２段２列や４段３列等のように、ｎ段ｍ列（ｎ、ｍともに１以上の整数）としてもよい。当然、１段１列、つまり、１本の小断面トンネルの築造に用いても良い。
また、排土運搬装置は、スクリューコンベアやベルトコンベアなどに限定されず、ポンプ圧送で土砂を排土しても良い。
また、この掘進機１０で築造される地下構造物は大断面の矩形形状トンネルに限られず、地下に築造され、内部空間を有する各種形状の構造物に用いることもできる。
【図面の簡単な説明】
【００４８】
【図１】本発明の掘進機の一例を示す平断面図である。
【図２】（ａ）は本発明の掘進機の短辺側を底部にした場合の隔壁を示す図であり、（ｂ）は本発明の掘進機の長辺側を底部にした場合の隔壁を示す図である。
【図３】本発明の掘進機の使用状態を示す模式図である。
【図４】トンネル築造領域の一例を示す模式図である。
【図５】小断面の矩形形状のトンネルを築造した状態を示す模式図である。
【図６】トンネル築造領域に設けた掘削領域のすべてに小断面の矩形形状のトンネルを築造した状態を示す模式図である。
【図７】複数の小断面の矩形形状のトンネルから大断面の矩形トンネルを築造した状態を示す模式図である。
【図８】矩形の長辺側を底部とする複数の掘削領域を掘削して複数の小断面の矩形形状のトンネルを築造した状態の一例を示す模式図である。
【図９】矩形の短辺側を底部とする複数の掘削領域を掘削して複数の小断面の矩形形状のトンネルを築造した状態の一例を示す模式図である。
【符号の説明】
【００４９】
１０    掘進機
１１    カッターヘッド
１２    掘進機本体
１３    隔壁
１３Ａ  第一の排土口
１３Ｂ  第二の排土口
１４Ａ  第一の排土装置
１４Ｂ  第二の排土装置
１５    排土運搬装置
１５Ａ  接続部
１５Ｂ  運搬部
ＤＫＴ  大断面の矩形形状のトンネル
ＴＫＲ  トンネル築造領域
ＣＨ    チャンバー
Ｇ      地盤
Ｔ１，Ｔ２  底部
Ｍ      モータ
ＳＢ    構造物
ＫＴ１，ＫＴ２，ＫＴ３，ＫＴ４，ＫＴ５，ＫＴ６  小断面の矩形形状のトンネル
ＫＲ１，ＫＲ２，ＫＲ３，ＫＲ４，ＫＲ５，ＫＲ６  掘削領域
【図１】
2006097243.tif 000003
【図２】
2006097243.tif 000004
【図３】
2006097243.tif 000005
【図４】
2006097243.tif 000006
【図５】
2006097243.tif 000007
【図６】
2006097243.tif 000008
【図７】
2006097243.tif 000009
【図８】
2006097243.tif 000010
【図９】
2006097243.tif 000011